(57)【要約】【課題】突曲部よりも下方に位置する外側片の形状や高さの変更が施された軒樋を共通の軒樋吊具により保持でき、尚且つ軒樋に上下方向及び幅方向の外力がかかったとしても、軒樋ががたついたり、軒樋の外側片の係止が外れたりすることのない軒樋の保持構造を提供する。【解決手段】軒樋１の外側片４の上下方向の略中央部に建物３側に向かって断面略コ字状に突曲し建物３の反対側の面が水切り用溝８となる突曲部９を形成する。突曲部９の上横片１０を建物３側に近づく程上方に位置するように傾斜させて傾斜片１１を形成する。立ち上げ片１４の上端部に外側耳部係止部１６を形成すると共に下部に下係止部１７を形成する。軒樋１の外側耳部５を軒樋吊具２の外側耳部係止部１６に係止すると共に軒樋１の傾斜片１１を軒樋吊具２の下係止部１７に係止する。【選択図】　　　　図１
2004116087.tif 000002
【特許請求の範囲】
【請求項１】
上方に開口する軒樋を軒樋吊具に取付けて建物に保持する軒樋の保持構造において、軒樋の外側片の上端部に外側耳部を形成すると共に内側片の上端部に内側耳部を形成し、軒樋の外側片の上下方向の略中央部に建物側に向かって断面略コ字状に突曲し建物の反対側の面が水切り用溝となる突曲部を形成し、突曲部の上横片を建物側に近づく程上方に位置するように傾斜させて傾斜片を形成し、軒樋吊具を、建物に固着する固定部と、固定部から建物の外側に向かって突出する突出片と、突出片の先端部から上方に突出する立ち上げ片とで構成し、突出片の固定部側端部に内側耳部係止部を形成し、立ち上げ片の上端部に外側耳部係止部を形成すると共に下部に下係止部を形成し、前記軒樋の外側耳部を軒樋吊具の外側耳部係止部に係止すると共に軒樋の傾斜片を軒樋吊具の下係止部に係止し、軒樋の内側耳部を軒樋吊具の内側耳部係止部に係止して成ることを特徴とする軒樋の保持構造。
【請求項２】
上方に開口する軒樋を軒樋吊具に取付けて建物に保持する軒樋の保持構造において、軒樋の外側片の上端部に外側耳部を形成すると共に内側片の上端部に内側耳部を形成し、軒樋の外側片の上下方向の略中央部に建物側に向かって断面略コ字状に突曲し建物の反対側の面が水切り用溝となる突曲部を形成し、突曲部の上横片の建物側の端部に上方に突出する外れ止め用突起を形成し、軒樋吊具を、建物に固着する固定部と、固定部から建物の外側に向かって突出する突出片と、突出片の先端部から上方に突出する立ち上げ片とで構成し、突出片の固定部側端部に軒樋の内側耳部係止部を形成し、立ち上げ片の上端部に外側耳部係止部を形成すると共に下部に下係止部を形成し、前記軒樋の外側耳部を軒樋吊具の外側耳部係止部に係止すると共に軒樋の上横片を軒樋吊具の下係止部に係止し、軒樋の内側耳部を軒樋吊具の内側耳部係止部に係止して成ることを特徴とする軒樋の保持構造。
【発明の詳細な説明】
【０００１】
【発明の属する技術分野】
本発明は、軒樋を軒樋吊具に取付けて建物に保持する軒樋の保持構造に関するものである。
【０００２】
【従来の技術】
従来から、軒樋１を軒樋吊具２に取付けて建物３に保持する図６に示すような軒樋１の保持構造が知られている。図に示す軒樋１の保持構造は上方に開口する軒樋１を軒樋吊具２に取付けて建物３に保持するものであって、この保持構造における軒樋１は、外側片４の上端部に外側耳部５を形成すると共に内側片６の上端部に内側耳部７を形成し、外側片４の上下方向の略中央部に建物３側に向かって突曲し建物３の反対側の面が水切り用溝８となる突曲部９を形成してあるものであり、また軒樋吊具２は、建物３に固着する固定部１２と、固定部１２から建物３の外側に向かって突出する突出片１３と、突出片１３の先端部から上方に突出する立ち上げ片１４と、突出片１３の先端部から下方に短く突出する短垂下片３７とで構成され、短垂下片３７の下端部に固定部１２と反対側に突出する支持片３８を形成し、突出片１３の固定部１２側の端部に内側耳部係止部１５を形成してあるものである。
【０００３】
上記軒樋１の軒樋吊具２への取付けは、軒樋１の外側耳部５を軒樋吊具２の立ち上げ片１４の上端部に引っ掛けた後、軒樋１の内側耳部７を外側耳部５を回動中心として回動させることで行い、これにより軒樋吊具２の立ち上げ片１４を外側耳部５に差し込んで外側片４の上端部を支持すると共に内側耳部係止部１５を内側耳部７に嵌め込んで係止していた。またこの場合、軒樋吊具２の支持片３８により突曲部９を下方から支持している（例えば特許文献１参照）。
【０００４】
また図７に示すような軒樋１の保持構造も知られている。図に示す軒樋１の保持構造における軒樋１は上記図６と同様の構成を有しており、また軒樋吊具２は、図８に示すように建物３に固着する固定部１２と、固定部１２から建物３の外側に向かって突出する突出片１３と、突出片１３の先端部から上方に突出する立ち上げ片１４と、突出片１３の先端部から下方に長く突出する長垂下片３９とで構成し、長垂下片３９に固定部１２と反対側に突出する支持片３８を形成し、突出片１３の固定部１２側の端部に内側耳部係止部１５を形成してある。
【０００５】
そしてこの場合も、上記図６に示す従来例と同じように軒樋１の外側耳部５を軒樋吊具２の立ち上げ片１４の上端部に引っ掛けた後、軒樋１の内側耳部７を外側耳部５を回動中心として回動させることで行い、これにより軒樋１の外側耳部５に軒樋吊具２の立ち上げ片１４を差し込んで外側片４の上端部を支持し、軒樋１の内側耳部７を内側耳部係止部１５に嵌め込んで係止し、軒樋吊具２の支持片３８により突曲部９を下方から支持していた。またこの図７に示す従来の軒樋１の保持構造においては、長垂下片３９で軒樋１の底片１９を上方から押さえている（例えば特許文献１参照）。
【０００６】
【特許文献１】
特開平９−１５１５８０号公報
【０００７】
【発明が解決しようとする課題】
しかしながら、上記図６に示す従来の軒樋１の保持構造においては、軒樋１の外側片４は立ち上げ片１４と支持片３８により下方から支持されているだけなので、軒樋１に上向きの外力がかかった場合、軒樋１ががたついたり、軒樋１の外側片４の係止が外れてしまうことがあった。
【０００８】
また、図７に示す従来の軒樋１の保持構造においては、確かに長垂下片３９で軒樋１の底片１９を上方から押さえているので、軒樋１に上向きの外力がかかったとしても軒樋１ががたついたり、軒樋１の外側片４の係止が外れたりすることはない。しかしながらこの図７に示す従来の軒樋１の保持構造にあっては、長垂下片３９が邪魔になって、例えば軒樋１の突曲部９よりも下方に位置する外側片４を図７に示す軒樋１よりもより一層下に行く程建物３側に近づくように傾斜させる等の形状の変更を施した軒樋１を取付けることができず、また軒樋吊具２の立ち上げ片１４により軒樋１の外側片４の上端部を係止すると共に長垂下片３９により軒樋１の底片１９の建物３の反対側の端部を上方より押さえているため、例えば軒樋１の突曲部９よりも下方に位置する外側片４の高さを図７に示す軒樋１よりも短くする等の高さの変更を施した軒樋１を取付けることができず、すなわちこのような外側片４の形状や高さの変更が施された異なる種類の軒樋１を建物３に取付ける場合には、その軒樋１の形状や高さに合った専用の軒樋吊具２を使用しなければならず、この結果、コストアップや、軒樋１を取付ける際に手間がかかるなどの問題が生じていた。
【０００９】
本発明は上記の点に鑑みてなされたものであり、その目的とするところは、突曲部よりも下方に位置する外側片の形状や高さの変更が施された軒樋を共通の軒樋吊具により保持でき、尚且つ軒樋に上下方向及び幅方向の外力がかかったとしても、軒樋ががたついたり、軒樋の外側片の係止が外れたりすることのない軒樋の保持構造を提供することを課題とするものである。
【００１０】
【課題を解決するための手段】
上記課題を解決するために本発明に係る軒樋の保持構造は、上方に開口する軒樋１を軒樋吊具２に取付けて建物３に保持する軒樋１の保持構造において、軒樋１の外側片４の上端部に外側耳部５を形成すると共に内側片６の上端部に内側耳部７を形成し、軒樋１の外側片４の上下方向の略中央部に建物３側に向かって断面略コ字状に突曲し建物３の反対側の面が水切り用溝８となる突曲部９を形成し、突曲部９の上横片１０を建物３側に近づく程上方に位置するように傾斜させて傾斜片１１を形成し、軒樋吊具２を、建物３に固着する固定部１２と、固定部１２から建物３の外側に向かって突出する突出片１３と、突出片１３の先端部から上方に突出する立ち上げ片１４とで構成し、突出片１３の固定部１２側端部に内側耳部係止部１５を形成し、立ち上げ片１４の上端部に外側耳部係止部１６を形成すると共に下部に下係止部１７を形成し、前記軒樋１の外側耳部５を軒樋吊具２の外側耳部係止部１６に係止すると共に軒樋１の傾斜片１１を軒樋吊具２の下係止部１７に係止し、軒樋１の内側耳部７を軒樋吊具２の内側耳部係止部１５に係止して成ることを特徴とするものである。
【００１１】
このように軒樋１の外側片４の上下方向の略中央部に建物３側に向かって断面略コ字状に突曲し建物３の反対側の面が水切り用溝８となる突曲部９を形成し、軒樋１の外側耳部５を軒樋吊具２の外側耳部係止部１６に係止すると共に軒樋１の傾斜片１１を軒樋吊具２の下係止部１７に係止することで、軒樋１が上下方向にがたついたり、外れたりすることを防止でき、また突曲部９の上横片１０を建物３側に近づく程上方に位置するように傾斜させて傾斜片１１を形成することで、軒樋１が幅方向にがたついたり、建物３の反対側に外れたりすることを防止でき、尚且つ下係止部１７及び外側耳部係止部１６を軒樋吊具２の突出片１３の建物３の反対側の端部から突出した立ち上げ片１４に形成しているので、軒樋１を軒樋吊具２に取付けた状態における軒樋吊具２の突出片１３と軒樋１の突曲部９は略同じ高さになるように配置されることとなり、これにより突曲部９よりも下方には軒樋吊具２が配されない状態となり、この結果軒樋１の突曲部９よりも下方に位置する外側片４の形状や高さの変更を施した軒樋１を共通の軒樋吊具２に取付けることが可能となる。
【００１２】
また請求項２記載の軒樋の保持構造は、上方に開口する軒樋１を軒樋吊具２に取付けて建物３に保持する軒樋１の保持構造において、軒樋１の外側片４の上端部に外側耳部５を形成すると共に内側片６の上端部に内側耳部７を形成し、軒樋１の外側片４の上下方向の略中央部に建物３側に向かって断面略コ字状に突曲し建物３の反対側の面が水切り用溝８となる突曲部９を形成し、突曲部９の上横片１０の建物３側の端部に上方に突出する外れ止め用突起１８を形成し、軒樋吊具２を、建物３に固着する固定部１２と、固定部１２から建物３の外側に向かって突出する突出片１３と、突出片１３の先端部から上方に突出する立ち上げ片１４とで構成し、突出片１３の固定部１２側端部に軒樋１の内側耳部係止部１５を形成し、立ち上げ片１４の上端部に外側耳部係止部１６を形成すると共に下部に下係止部１７を形成し、前記軒樋１の外側耳部５を軒樋吊具２の外側耳部係止部１６に係止すると共に軒樋１の上横片１０を軒樋吊具２の下係止部１７に係止し、軒樋１の内側耳部７を軒樋吊具２の内側耳部係止部１５に係止して成ることを特徴とするものである。
【００１３】
このように軒樋１の外側片４の上下方向の略中央部に建物３側に向かって断面略コ字状に突曲し建物３の反対側の面が水切り用溝８となる突曲部９を形成し、軒樋１の外側耳部５を軒樋吊具２の外側耳部係止部１６に係止すると共に軒樋１の上横片１０を軒樋吊具２の下係止部１７に係止することで、軒樋１が上下方向にがたついたり、外れたりすることを防止でき、また上横片１０の建物３側の端部に上方に突出する外れ止め用突起１８を形成することで、軒樋１が幅方向にがたついたり、建物の反対側に外れたりすることを防止でき、尚且つ下係止部１７及び外側耳部係止部１６を軒樋吊具２の突出片１３の建物３の反対側の端部から突出した立ち上げ片１４に形成しているので、軒樋１を軒樋吊具２に取付けた状態における軒樋吊具２の突出片１３と軒樋１の突曲部９は略同じ高さになるように配置されることとなり、これにより突曲部９よりも下方には軒樋吊具２が配されない状態となり、この結果軒樋１の突曲部９よりも下方に位置する外側片４の形状や高さの変更を施した軒樋１を共通の軒樋吊具２に取付けることが可能となる。
【００１４】
【発明の実施の形態】
以下、本発明を添付図面に示す実施形態に基づいて説明する。なお以下の軒樋１及び軒樋吊具２の説明に使用される方向は、軒樋１を軒樋吊具２に取付けて建物３に保持した状態におけるものとする。
【００１５】
本実施形態の軒樋１は建物３の軒先の鼻隠板や、母屋等（以下建物３と称す）の取り付け面に建物３に沿って取付けられるものである。なお、軒樋１としては、例えば樹脂製のものや、樹脂に金属板などをインサート成形したもの等が使用されるが、これらに限定されるものではない。
【００１６】
軒樋１は図１に示すように上方が開口した断面略Ｕ字形状を有しており、建物３の外側に位置する外側片４と、建物３側に位置すると共に外側片４よりも低い内側片６と、外側片４と内側片６の下端部同士を接続する略水平な底片１９とで構成されている。
【００１７】
軒樋１の外側片４の上下方向の略中央部には建物３側に向かって断面略コ字状に突曲し建物３の反対側の面（外面）が水切り用溝８となる突曲部９が長手方向に亘って形成されている。
【００１８】
突曲部９よりも上方に位置する外側片４は上外側片部２３となっており、上に行く程建物３側に近づくように傾斜している。また突曲部９よりも下方に位置する外側片４は下外側片部２４となっており、下に行く程建物３側に近づくようにやや傾斜している。
【００１９】
外側片４の上端部には下方に開口する溝形状の外側耳部５が形成されている。すなわち外側耳部５は、上外側片４の上端部と、外側片４の上端部から略建物３側に向かって突出する横片３３と、横片３３の建物３側の端部の内側に長手方向に亘って設けた耳部本体３４とで形成されている。
【００２０】
また内側片６の上端部の内側には軒樋１の長手方向に亘って内側耳部７が形成されている。
【００２１】
ここで前述した突曲部９について詳述すると、突曲部９は上横片１０と、下横片２１と、上下横片１０、２１を接続する縦片２２とで形成されている。上横片１０は建物３側に近づく程上方に位置するように傾斜する傾斜片１１となっている。また下横片２１は建物３側に近づく程下方に位置するように傾斜しており、また縦片２２は上に行くほど建物３側に近づくように傾斜している。
【００２２】
そして上記軒樋１は以下に示す軒樋吊具２に取付けられる。なお軒樋吊り具２は金属製であっても良いし、樹脂製であっても良いし、また金属及び樹脂の両方により形成されていても良いものとする。
【００２３】
軒樋吊具２は図１、図２に示すように建物３の取付け面に固着する固定部１２と、固定部１２から建物３の外側に向かって突出すると略水平な突出片１３と、突出片１３の先端部から上方に突出する立ち上げ片１４とで構成されている。
【００２４】
固定部１２は大略板形状を有しており、上部にはアンカーボルトや釘等の固着具（図示省略）を通すための固着具用孔２５が複数設けられている。
【００２５】
突出片１３は、固定部１２の上部から建物３の外側に突出する上片部２６と、上片部２６の下面の先端部から建物３の外側に突出する水平片部２７と、水平片部２７の固定部１２側の端部からやや下方に突出する下片部２８とで構成されている。なお、上記の水平片部２７は軒樋１を軒樋吊具２に取付けた状態において、軒樋１の突曲部９と略同じ高さ、もしくは突曲部９の下横片２１よりもやや高い位置に配置されるものとする。下片部２８の固定部１２側の端面の下端部には建物３側にやや突出すると共に建物３側程上方に位置するように傾斜する傾斜突部２９が形成されており、突出片１３の建物３側の端部に、傾斜突部２９と、下片部２８及び水平片部２７の建物３側の端部とで構成された軒樋１の内側耳部７を係止するための内側耳部係止部１５を形成している。
【００２６】
立ち上げ片１４の上端部には軒樋１の外側耳部５を係止する外側耳部係止部１６が形成されており、また立ち上げ片１４の下部には軒樋１の傾斜片１１を係止する下係止部１７が形成されている。詳述すると、立ち上げ片１４は突出片１３の先端部から上方に立ち上げられる垂直片部３０と、垂直片部３０の先端から建物３の反対側（固定部１２の反対側）に突出する傾き片部３１と、傾き片部３１の先端から略上方に突出する支持片部３２とで構成されている。傾き片部３１は建物３から遠ざかる程下方に位置するように傾斜しており、支持片部３２は上に行く程建物３（固定部）側に位置するように傾斜しており、すなわち支持片部３２と傾き片部３１との折り曲げ部分は鋭角に折り曲げられている。そして本実施形態においては、上記支持片部３２の上端部を外側耳部係止部１６とし、支持片部３２の下端部を下係止部１７としている。
【００２７】
上記軒樋吊具２の固定部１２の固着具用孔２５に固着具を通して、該固着具の先端を建物３の取り付け面に固着することで、軒樋吊具２は建物３に取付けられ、この建物３に取付けられた軒樋吊具２に軒樋１を取付けることで、軒樋１は建物３に保持される。
【００２８】
軒樋吊具２への軒樋１の取付けは例えば以下のようにして行われる。
【００２９】
軒樋１の取付けは、軒樋１の外側耳部５を軒樋吊具２の外側耳部係止部１６に引っ掛け、この後軒樋１の内側耳部７を外側耳部５を回動中心として回動（図面において反時計回りに回動）させることで行われ、これにより外側耳部５が上方より軒樋吊具２の外側耳部係止部１６に嵌め込まれて係止されると共に内側耳部６が下方より内側耳部係止部１５に嵌め込まれて係止される。またこの時、軒樋１の上外側片部２３及び突曲部９は図３に示すように弾性変形して軒樋吊具２の下係止部１７が傾斜片１１を乗り越え、軒樋吊具２の傾き片部３１と支持片部３２との折り曲げ部分が軒樋１の傾斜片１１と上外側片部２３との折り曲げ部分にぴったりと嵌まり込み、これにより軒樋１の傾斜片１１が軒樋吊具２の下係止部１７に嵌め込まれて係止される。すなわち、支持片部３２が軒樋１の外側耳部５と傾斜片１１との間に嵌まり込むこととなる。
【００３０】
上記のように軒樋１の外側耳部５を軒樋吊具２の外側耳部係止部１６に係止すると共に軒樋１の傾斜片１１を軒樋吊具の下係止部１７に係止し、軒樋１の内側耳部７を軒樋吊具２の内側耳部係止部１５に係止して軒樋１を取付けることで、軒樋１は建物３側に外れないようにしっかりと軒樋吊具２に取付けられ、これにより軒樋１は建物３に保持されることとなる。またこの場合、軒樋吊具２の外側耳部係止部１６により軒樋１の横片３３を下方より支持すると共に軒樋吊具２の下係止部１７により上方から軒樋１の傾斜片１１を押さえているので、たとえ軒樋１に風等の上下方向の外力が加わったとしても、軒樋１の外側片４が上下方向にがたついたり、軒樋１の外側片４が上下方向に外れることがない。さらに、軒樋１の外側耳部５は軒樋吊具２の外側耳部係止部１６は嵌め込まれて、外側耳部係止部１６は耳部本体３４を建物３の反対側から支持しており、また軒樋吊具２の下係止部１７は傾斜片１１を係止して、軒樋１の傾斜片１１を建物３の反対側から支持しており、これによりたとえ軒樋１に風等の幅方向の外力が加わったとしても、軒樋１の外側片４が幅方向にがたついたり、軒樋１の外側片が建物３の反対側に外れることがない。さらに内側耳部７もまた上片部２６及び傾斜突部２９により上下方向にがたつかないように支持されており、尚且つ傾斜突部２９により建物３側に外れることが防止されており、これにより軒樋１の内側片６が幅方向及び上下方向にがたついたり、外れたりすることがない。
【００３１】
そして上記軒樋吊具２に取付けられた軒樋１により建物３の屋根面から流れる雨水を受けることが可能となる。また、本実施形態においては軒樋１の上外側片４が上に行く程建物３側に近づくように傾斜しているので、上外側片部２３の傾斜は屋根面の傾斜に近づくこととなり、これにより外部から軒樋１を見た場合、軒樋１が目立たなくなり、外観が向上する。さらに軒樋１の外側片４の建物３の反対側の面に水切り用溝８を設けているので、屋根面から傾斜した上外側片部２３の外面に流れてきた雨水は水切り用溝８（下横片２１と縦片２２との折り曲げ部分）に入り、そしてこの水切り用溝８に流れた雨水は軒樋１と軒樋１の接続部分から軒樋１の内側に入ることとなり、これにより上外側片部２３の外面を流れる雨水が下外側片部２４に垂れて下外側片部２４を汚すことを防止している。
【００３２】
さらに本実施形態においては前述したように下係止部１７及び外側耳部係止部１６を軒樋吊具２の水平片部２７の建物３の反対側の端部から突出した立ち上げ片１４に形成しているので、軒樋１を軒樋吊具２に取付けた状態における軒樋吊具２の水平片部２７と軒樋１の突曲部９は略同じ高さになるように配置されることとなり、これにより突曲部９よりも下方には軒樋吊具２が配されない状態となり、この結果例えば軒樋１の突曲部９よりも下方に位置する外側片４をより一層下に行く程建物３側に近づくように傾斜させて形状の変更を施した軒樋１や、例えば軒樋１の突曲部９よりも下外側片部２４の高さをより短くして高さの変更を施した軒樋１等の種々の軒樋１を共通の軒樋吊具２に取付けることが可能となる（図４参照）。そしてこのように、突曲部９よりも下方に位置する外側片４の形状や高さの変更が施された軒樋１を共通の軒樋吊具２により保持できるため、コストを削減でき、軒樋１を軒樋吊具２に取付ける際の作業性を向上させることができる。
【００３３】
図５には上記とは異なる実施形態が示されている。なお上記実施形態と同一の構成については同一の番号を付与してあり、重複する説明については説明を省略する。
【００３４】
本実施形態における軒樋１の突曲部９の上横片１０は略水平に形成されており、上横片１０の建物３側の端部には上方に突出する外れ止め用突起１８が形成されており、これにより上横片１０の外れ止め用突起１８よりも建物３側の部分に下係止部１７が嵌め込まれる嵌め込み溝３５が形成される。
【００３５】
また軒樋吊具２の立ち上げ片１４は、突出片１３の先端部、すなわち水平片部２７の先端部から上方に立ち上げられる垂直片部３０と、垂直片部３０の先端部に幅方向の略中央部が接続される支持片部３２とで構成されており、支持片部３２は建物３側の端部から建物３に近づく程上方に位置するように傾斜している。そして本実施形態においては、上記支持片部３２の上端部を外側耳部係止部１６とし、支持片部３２の下端部を下係止部１７としている。
【００３６】
そして本実施形態における軒樋吊具２への軒樋１の取付けは例えば以下のようにして行われる。
【００３７】
軒樋１の取付けは、上記実施形態と同様に軒樋１の外側耳部５を軒樋吊具２の外側耳部係止部１６に引っ掛け、この後軒樋１の内側耳部７を外側耳部５を回動中心として回動（図面において反時計回りに回動）させることで行われ、これにより外側耳部５が上方より軒樋吊具２の外側耳部係止部１６に嵌め込まれて係止されると共に内側耳部６が下方より内側耳部係止部１５に嵌め込まれて係止される。またこの時、軒樋１の上外側片部２３及び突曲部９は弾性変形し、軒樋吊具２の下係止部１７が軒樋１の外れ止め用突起１８を乗り越えて嵌め込み溝３５に嵌め込み係止される。すなわち支持片部３２が軒樋１の外側耳部５と上横片１０との間に嵌まり込むこととなる。
【００３８】
上記のように軒樋１の外側耳部５を軒樋吊具２の外側耳部係止部１６に係止すると共に軒樋１の上横片１０を軒樋吊具２の下係止部１７に係止し、軒樋１の内側耳部７を軒樋吊具２の内側耳部係止部１５に係止して軒樋１を取付けることで、軒樋１は建物側３に外れないようにしっかりと軒樋吊具２に取付けられ、これにより軒樋１は建物３に保持されることとなる。またこの場合、軒樋吊具２の外側耳部係止部１６により軒樋１の横片３３をを下方より支持すると共に軒樋吊具２の下係止部１７により上方から軒樋１の上横片１０を押さえているため、たとえ軒樋１に風等の上下方向の外力が加わったとしても、軒樋１の外側片４が上下方向にがたついたり、軒樋１の外側片４が上下方向に外れたりすることがない。さらに軒樋１の外側耳部５は軒樋吊具２の外側耳部係止部１６は嵌め込まれて、外側耳部係止部１６は耳部本体３４を建物３の反対側から支持しており、また軒樋吊具２の下係止部１７は軒樋１の嵌め込み溝３５に嵌め込まれて、下係止部１７が上横片１０の外れ止め用突起１８を建物３の反対側から支持しており、これによりたとえ軒樋１に風等の幅方向の外力が加わったとしても、軒樋１の外側片４が幅方向にがたついたり、軒樋１の外側片４が建物の反対側に外れたりすることがない。
【００３９】
さらに本実施形態においても下係止部１７及び外側耳部係止部１６を軒樋吊具２の水平片部２７の建物３の反対側の端部から突出した立ち上げ片１４に形成しているので、軒樋１を軒樋吊具２に取付けた状態における軒樋吊具２の水平片部２７と軒樋１の突曲部９は略同じ高さになるように配置されることとなり、これにより突曲部９よりも下方には軒樋吊具２が配されない状態となり、この結果例えば軒樋１の突曲部９よりも下方に位置する外側片４をより一層下に行く程建物３側に近づくように傾斜させて形状の変更を施した軒樋１や、例えば軒樋１の突曲部９よりも下外側片部２４の高さをより短くして高さの変更を施した軒樋１等の種々の軒樋１を共通の軒樋吊具２に取付けることが可能となる。そしてこのように、突曲部９よりも下方に位置する外側片４の形状や高さの変更が施された軒樋１を共通の軒樋吊具２により保持できるため、コストを削減でき、軒樋１を軒樋吊具２に取付ける際の作業性を向上させることができる。
【００４０】
【発明の効果】
上記のように本発明の請求項１記載の発明にあっては、軒樋の外側片の上下方向の略中央部に建物側に向かって断面略コ字状に突曲し建物の反対側の面が水切り用溝となる突曲部を形成し、軒樋の外側耳部を軒樋吊具の外側耳部係止部に係止すると共に軒樋の傾斜片を軒樋吊具の下係止部に係止することで、軒樋が上下方向にがたついたり、外れたりすることを防止でき、また突曲部の上横片を建物側に近づく程上方に位置するように傾斜させて傾斜片を形成することで、軒樋が幅方向にがたついたり、建物の反対側に外れたりすることを防止でき、上記によりしっかりと軒樋を軒樋吊具に取付けることができ、尚且つ下係止部及び外側耳部係止部を軒樋吊具の突出片の建物の反対側の端部から突出した立ち上げ片に形成しているので、突曲部よりも下方には軒樋吊具が配されない状態となり、これにより軒樋の突曲部よりも下方に位置する外側片の形状や高さの変更を施した軒樋を共通の軒樋吊具に取付けることが可能となり、この結果コストを削減でき、軒樋を軒樋吊具に取付ける際の作業性を向上させることができる。
【００４１】
また請求項２記載の発明にあっては、軒樋の外側片の上下方向の略中央部に建物側に向かって断面略コ字状に突曲し建物の反対側の面が水切り用溝となる突曲部を形成し、軒樋の外側耳部を軒樋吊具の外側耳部係止部に係止すると共に軒樋の上横片を軒樋吊具の下係止部に係止することで、軒樋が上下方向にがたついたり、外れたりすることを防止でき、また上横片の建物側の端部に上方に突出する外れ止め用突起を形成することで、軒樋が幅方向にがたついたり、建物の反対側に外れたりすることを防止でき、上記によりしっかりと軒樋を軒樋吊具に取付けることができ、尚且つ下係止部及び外側耳部係止部を軒樋吊具の突出片の建物の反対側の端部から突出した立ち上げ片に形成しているので、突曲部よりも下方には軒樋吊具が配されない状態となり、これにより軒樋の突曲部よりも下方に位置する外側片の形状や高さの変更を施した軒樋を共通の軒樋吊具に取付けることが可能となり、この結果コストを削減でき、軒樋を軒樋吊具に取付ける際の作業性を向上させることができる。
【図面の簡単な説明】
【図１】本発明の実施形態の一例を示すものであり、軒樋を建物に保持した状態を示す断面図である。
【図２】同上の軒樋吊具を示すものであり、（ａ）は側面図であり、（ｂ）は背面図である。
【図３】同上の軒樋取付け作業時における外側片の弾性変形を説明する断面図である。
【図４】同上の軒樋吊具に図１とは異なる軒樋を取付けた状態を示す断面図である。
【図５】上記とは異なる実施の形態の一例を示すものであり、軒樋を建物に保持した状態を示す断面図である。
【図６】従来の軒樋の保持構造を示す断面図である。
【図７】図６とは異なる従来の軒樋の保持構造を示す断面図である。
【図８】同上の軒樋吊具を示す斜視図である。
【符号の説明】
１　軒樋
２　軒樋吊具
３　建物
４　外側片
５　外側耳部
６　内側片
７　内側耳部
８　水切り用溝
９　突曲部
１０　上横片
１１　傾斜片
１２　固定部
１３　突出片
１４　立ち上げ片
１５　内側耳部係止部
１６　外側耳部係止部
１７　下係止部
１８　外れ止め用突起
【図１】
2004116087.tif 000003
【図２】
2004116087.tif 000004
【図３】
2004116087.tif 000005
【図４】
2004116087.tif 000006
【図５】
2004116087.tif 000007
【図６】
2004116087.tif 000008
【図７】
2004116087.tif 000009
【図８】
2004116087.tif 000010